(57)【要約】    【課題】  既存のティー等の脚体に対し容易に着脱可能であると共に、ゴルフボールを支持して打球した場合に脚体からボール支持部が離脱することが防止されるゴルフボール支持体の提供。    【解決手段】  内部が上下に開放したボール支持部10を上端部に設け、その下方に大内径部12を設ける。大内径部の上部に、上方開口の挿入開口12aと、内方突出位置と非突出位置との切り換えが可能な離脱防止部26を設ける。大内径部12の下方に、水平方向の内部寸法が大内径部12よりも小さい脚部突出開口14を設ける。離脱防止部26が非突出位置にある状態でゴルフティーTを挿脱し、離脱防止部26が内方突出位置にある状態で、離脱防止部26により水平方向拡大部T2の上方離脱を防止する。【選択図】      図５
2005040529.tif 000002
【特許請求の範囲】
【請求項１】
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有してなり、
前記大寸法内部の上部に、前記ボール支持部の内部を経て上方に開放した挿入開口を有すると共に、大寸法内部の内方に突出する内方突出位置とそれよりも外方に位置する非突出位置との切り換えが可能な離脱防止部を有し、大寸法内部の下方に、水平方向の内部寸法が前記大寸法内部よりも小さい脚部突出開口を有し、
前記離脱防止部が非突出位置にある状態において、前記大寸法内部に対する前記脚体の挿脱が行われ、
前記脚体の脚部の少なくとも下部が前記脚部突出開口より突出し、前記水平方向拡大部が前記大寸法内部に収容されて前記離脱防止部が内方突出位置にある状態において、その離脱防止部により水平方向拡大部の上方離脱が防止されて脚体が取り付けられることを特徴とするゴルフボール支持体。
【請求項２】
上記離脱防止部が、大寸法内部の外周部を構成する大外周部に周方向距離を隔てて設けられた一対の支点部に両端部が支持され、無負荷状態における両支点部間の直線距離よりも前記両端部間の離脱防止部の寸法の方が大きく、両支点部を結ぶ直線よりも内方に突出した状態と外方に張り出した状態の何れにおいても安定し得、両者の中間状態では安定し難く、前記内方に突出した状態で内方突出位置をとり、前記外方に張り出した状態で非突出位置をとるものである請求項１記載のゴルフボール支持体。
【請求項３】
上記離脱防止部が、大外周部の内方と外方の何れにも臨んでおり、上記非突出位置において大外周部の外方から内方に押し込まれて上記中間状態を経ることにより、上記内方突出位置に切り換わり、上記内方突出位置において大外周部の内方から外方に押し出されて上記中間状態を経ることにより、上記非突出位置に切り換わるものである請求項２記載のゴルフボール支持体。
【請求項４】
全体が合成樹脂により形成され、上記離脱防止部における両端部の中間に薄肉の中間ヒンジ部が形成されると共に、上記一対の支点部が薄肉のヒンジ状に形成されている請求項２又は３記載のゴルフボール支持体。
【請求項５】
上記ボール支持部が、略上方又は上外方に突起する３以上の支持突起を有してなり、それらの支持突起の上にゴルフボールを支持するものであり、前記支持突起は、大径外周部の上方に、大寸法内部の上方部を取り囲むように位置する請求項１、２、３又は４記載のゴルフボール支持体。
【発明の詳細な説明】
【技術分野】
【０００１】
本発明は、脚体に着脱可能に取り付けられるゴルフボール支持体に関する。
【背景技術】
【０００２】
特許文献１には、多数の上方突起が円形に配列され、円形に並んだそれらの先端部上にゴルフボールを支持するボール支持部を備えたゴルフティーが記載されている。この種のゴルフティーは、合成樹脂製であり、全体が一体をなす。また、その形態により、従来の、棒状脚部の上端部が拡径して皿状のボール支持部に形成された単純な形状のゴルフティーに比し、製造コストは高い。そのため、破損した場合、全体を交換する必要があり、比較的費用が嵩む。
【０００３】
一方、特許文献２には、軸状の脚部の上端をゴム製のボール支持部の下部に挿脱交換可能なゴルフティが記載されている。また特許文献３には、軸状の脚部の上端をプラスチック製のボール支持部の下部に挿脱交換可能なゴルフティが記載されている。これらのゴルフティは、ボール支持部を交換して使用することができるが、ゴルフボールを支持して打球すると、脚部からボール支持部が離脱してそのボール支持部を紛失することが生じ易い。
【特許文献１】実開平５−８６３７０号公報
【特許文献２】実用新案出願公告第４０２号公報
【特許文献３】特開２０００−１８９５４９号公報
【発明の開示】
【発明が解決しようとする課題】
【０００４】
本発明は、従来技術に存した上記のような課題に鑑み行われたものであって、その目的とするところは、既存のティー等の脚体に対し容易に着脱可能であると共に、ゴルフボールを支持して打球した場合に脚体からボール支持部が離脱することが防止されるゴルフボール支持体を提供することにある。
【課題を解決するための手段】
【０００５】
(1)  上記目的を達成する本発明のゴルフボール支持体は、
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有してなり、
前記大寸法内部の上部に、前記ボール支持部の内部を経て上方に開放した挿入開口を有すると共に、大寸法内部の内方に突出する内方突出位置とそれよりも外方に位置する非突出位置との切り換えが可能な離脱防止部を有し、大寸法内部の下方に、水平方向の内部寸法が前記大寸法内部よりも小さい脚部突出開口を有し、
前記離脱防止部が非突出位置にある状態において、前記大寸法内部に対する前記脚体の挿脱が行われ、
前記脚体の脚部の少なくとも下部が前記脚部突出開口より突出し、前記水平方向拡大部が前記大寸法内部に収容されて前記離脱防止部が内方突出位置にある状態において、その離脱防止部により水平方向拡大部の上方離脱が防止されて脚体が取り付けられることを特徴とする。
【０００６】
なお、本明細書中の上下位置関係に関する記述は、ゴルフボールの打球のためにゴルフボール支持体を使用する状態、すなわちゴルフボール支持体を脚体に取付けてその脚体の脚部を地面に差し込んで起立させ、ボール支持部にゴルフボールを支持する状態における上下位置関係を基準とする。
【０００７】
離脱防止部が非突出位置にある状態において、内部が上下に開放したボール支持部の上部から、既存のティー等の脚体の脚部を挿入すると、その脚部が、大寸法内部の上部に有する挿入開口及び大寸法内部を挿通し、大寸法内部の下方の脚部突出開口より突出する。それと共に、脚体における脚部の上方に位置する水平方向拡大部は、ボール支持部から挿入開口を挿通し大寸法内部に収容される。この状態において、離脱防止部を内方突出位置に切り換えると、大寸法内部の上部に有する離脱防止部が水平方向拡大部の上側に位置して水平方向拡大部の上方離脱が防止された状態で、そのゴルフボール支持体が脚体の上部に取り付けられ、ボール支持部上にゴルフボールを支持し得る状態となる。また、離脱防止部を非突出位置に切り換えれば、ゴルフボール支持体を脚体から取り外すことができる。
【０００８】
(2)  本発明のゴルフボール支持体は、上記離脱防止部が、大寸法内部の外周部を構成する大外周部に周方向距離を隔てて設けられた一対の支点部に両端部が支持され、無負荷状態における両支点部間の直線距離よりも前記両端部間の離脱防止部の寸法の方が大きく、両支点部を結ぶ直線よりも内方に突出した状態と外方に張り出した状態の何れにおいても安定し得、両者の中間状態では安定し難く、前記内方に突出した状態で内方突出位置をとり、前記外方に張り出した状態で非突出位置をとるものとすることができる。
【０００９】
上記離脱防止部は、大外周部（大寸法内部の外周部）の内方と外方の何れにも臨んでおり、上記非突出位置において大外周部の外方から内方に押し込まれて上記中間状態を経ることにより、上記内方突出位置に切り換わり、上記内方突出位置において大外周部の内方から外方に押し出されて上記中間状態を経ることにより、上記非突出位置に切り換わるものとすることができる。
また前記ゴルフボール支持体は、全体が合成樹脂により形成され、上記離脱防止部における両端部の中間に薄肉の中間ヒンジ部が形成されると共に、上記一対の支点部が薄肉のヒンジ状に形成されているものとすることができる。
【００１０】
(3)  本発明のゴルフボール支持体は、ボール支持部が、略上方又は上外方に突起する３以上の支持突起を有してなり、それらの支持突起の上にゴルフボールを支持するものであり、前記支持突起は、大径外周部の上方に、大寸法内部の上方部を取り囲むように位置するものとすることができる。
【００１１】
この場合、ゴルフボールは、ティー等の脚体の上部に取り付けられたゴルフボール支持体における大寸法内部の上方部を取り囲むように位置する３以上の支持突起上に支持させることができる。
【発明の効果】
【００１２】
本発明のゴルフボール支持体は、離脱防止部が非突出位置にある状態において、ボール支持部の上部から脚体の脚部を挿入して脚部突出開口より突出させると共に、水平方向拡大部を大寸法内部に収容させて離脱防止部を内方突出位置に切り換えて上方離脱が防止された状態とすることにより、脚体の上部に取り付けてボール支持部上にゴルフボールを支持し得る状態とすることができ、離脱防止部を非突出位置に切り換えれば脚体から取り外すことができるものであり、既存のティー等の脚体に対し容易に着脱可能である。
【発明を実施するための最良の形態】
【００１３】
本発明の実施の形態を、図面を参照しつつ説明する。
図面は何れも本発明のゴルフボール支持体の実施の形態の例に関するものであって、図１は正面図、図２は平面図、図３は底面図、図４は、図１におけるIV−IV断面図、図５は、図２におけるＶ−Ｖ端面図、図６は側面図である。
【００１４】
このゴルフボール支持体Ｓは、全体が、環境保護に好適な生分解性の合成樹脂製（これに限るものではない。）であり、一体成形により製造されるものであって、二点鎖線で図示するような既存のゴルフティーＴ（脚体）に着脱可能に取付けることができるものであるが、材料及び取付け対象はこれに限るものではない。
【００１５】
前記ゴルフティーＴは、下端が円錐尖端状に形成された丸棒状の脚部Ｔ１の上端部に、外周部が上方に向かって略漏斗形状に拡径した水平方向拡大部Ｔ２を有し、その水平方向拡大部Ｔ２の上面が皿状のボール支持凹部に形成された木製ティーである。木製に限るものではないが、打球による紛失時の環境保護上、木製が好ましい。
【００１６】
ゴルフボール支持体Ｓは、ボール支持部１０を上端部に有し、そのボール支持部１０の下方に、大内径部１２（大寸法内部）を有し、その大内径部１２の下方に、水平方向の内部寸法が前記大内径部１２よりも小さい小寸法内部１４が連通してなり、上下方向軸線に対し略回転対称状をなす。大内径部１２は、ゴルフティーＴの水平方向拡大部Ｔ２のうち下部よりも上方にほぼ対応する。なお、大内径部１２は大径外周部２２（大外周部）により形成されている。
大内径部１２の下方は、下向に内径が漸次縮径する縮径部１３であり、大内径部１２の下方には、内径（水平方向の内部寸法）が大内径部１２よりも小さい脚部突出開口１４を有する。
【００１７】
ボール支持部１０は、大径外周部２２から略上方に突起する支持突起１０ａを、上下方向軸線を中心として３６度中心角毎の１０箇所に有してなり、それらの支持突起１０ａの上にゴルフボールを支持するものである。従って支持突起１０ａは、大内径部１２の外周部の上方に、大内径部１２の上方部を取り囲むように位置し、内部が上下に開放している。なお、隣り合う支持突起１０ａ同士の間の中心角は、１７０度以下とすることができ、９０度以下であることが好ましい。より好ましくは６０度以下である。
【００１８】
大内径部１２の上部には、ボール支持部１０の内部を経て上方に開放した挿入開口１２ａを有すると共に、離脱防止部２６を１８０度中心角を隔てた２箇所に有する。なお、離脱防止部は上下方向軸線を中心として周方向間隔を隔てた２箇所以上に有することが好ましい。
【００１９】
離脱防止部２６は、大径外周部２２の一部を利用したものであって、大径外周部２２に周方向距離を隔てて設けられた一対の支点部２４に両端部が支持され、中央部が中間ヒンジ部２６ａに形成されており、両端から中央に向かって周方向にやや湾曲し、ほぼ直立した、湾曲板状をなす。中間ヒンジ部２６ａは、外方開口の切欠により薄肉のヒンジ状に形成されてほぼ垂直方向の回動軸を構成し、両端の支点部２４は、外方開口の切欠により薄肉のヒンジ状に形成されて互いに上内方に傾斜した回動軸を構成している。離脱防止部２６の上下は切れ目２８である。
【００２０】
離脱防止部２６の両端部間の寸法は、無負荷状態における両支点部２４間の直線距離よりも大きく、両支点部２４を結ぶ直線Ｌよりも内方に突出した状態（図４及び図５における二点鎖線）と外方に張り出した状態（図４及び図５における実線）の何れにおいても安定し得、両者の中間状態では、離脱防止部２６が両支点部２４を直線Ｌに沿って突っ張るような状態となり、安定し難い。離脱防止部２６は、内方に突出した状態で内方突出位置（図４及び図５における二点鎖線）をとり、前記外方に張り出した状態で非突出位置（図４及び図５における実線）をとる。内方突出位置では、両支点部２４の切欠の開口が拡大し、中間ヒンジ部２６ａの切欠の開口は縮小し若しくは閉じた状態となる。
【００２１】
離脱防止部２６は、大径外周部２２の内方と外方の何れにも臨んでおり、非突出位置において大径外周部２２の外方から内方に押し込まれて中間状態を経ることにより、内方突出位置に切り換わり、内方突出位置において大径外周部２２の内方から外方に押し出されて中間状態を経ることにより、非突出位置に切り換わる。
【００２２】
縮径部１３における離脱防止部２６と同じ周方向位置に、下方に開放した上下方向の切込部１６を有する。ゴルフティーＴ等との寸法の適合性を広くするためである。
【００２３】
離脱防止部２６が非突出位置（図４及び図５における実線）にある状態において、ボール支持部１０の上部から、ゴルフティーＴの脚部Ｔ１を挿入すると、その脚部Ｔ１が、大内径部１２の上部に有する挿入開口１２ａ及び大内径部１２を挿通し、脚部Ｔ１の下部が大内径部１２下方の脚部突出開口１４より突出する。それと共に、ゴルフティーＴの水平方向拡大部Ｔ２は、ボール支持部１０から挿入開口１２ａを挿通し大内径部１２に収容される。この状態において、離脱防止部２６を外方から他のゴルフティーの尖端等により押し込んで内方突出位置（図４及び図５における二点鎖線）に切り換えると、大内径部１２の上部に有する離脱防止部２６がゴルフティーＴにおける水平方向拡大部Ｔ２の上面の上側に位置して水平方向拡大部Ｔ２の上方離脱が防止された状態となる。
【００２４】
このようにして、ゴルフボール支持体Ｓが脚体の上部に取り付けられ、ボール支持部１０において大内径部１２の上方部を取り囲むように位置する支持突起１０ａ上にゴルフボールを支持し得る状態となる。また、離脱防止部２６を内方から他のゴルフティーの尖端等により外方に押し出して非突出位置（図４及び図５における実線）に切り換え、離脱防止部２６による離脱防止を解除すれば、ゴルフボール支持体ＳをゴルフティーＴから取り外すことができる。
【図面の簡単な説明】
【００２５】
【図１】正面図である。
【図２】平面図である。
【図３】底面図である。
【図４】図１におけるIV−IV断面図である。
【図５】図２におけるＶ−Ｖ端面図である。
【図６】側面図である。
【符号の説明】
【００２６】
１０      ボール支持部
１０ａ    支持突起
１２      大内径部
１２ａ    挿入開口
１３      縮径部
１４      脚部突出開口
１６      切込部
２２      大径外周部
２４      支点部
２６      離脱防止部
２６ａ    中間ヒンジ部
２８      切れ目
Ｌ        直線
Ｓ        ゴルフボール支持体
Ｔ        ゴルフティー
Ｔ１      脚部
Ｔ２      水平方向拡大部
【図１】
2005040529.tif 000003
【図２】
2005040529.tif 000004
【図３】
2005040529.tif 000005
【図４】
2005040529.tif 000006
【図５】
2005040529.tif 000007
【図６】
2005040529.tif 000008